(57)【要約】【課題】第１のロックと第２のロックを行える二重ロック構造でありながら、キャップ部材を容易に素早く開くことが可能な使い勝手の良い携帯用飲料ボトルを提供する。【解決手段】ボトル本体を施蓋するキャップ部材３を閉状態に保持して第１のロックを行う第１ロック部材６と、第１ロック部材６にて閉状態に保持されたキャップ部材３を起立状姿勢で係止して第２のロックを行う門型の第２ロック部材７と、を備えた携帯用飲料ボトルに於て、第２ロック部材７を起立状姿勢から下方へ揺動して第２のロックを解除すると共に、下方へ揺動して垂下状姿勢となった第２ロック部材７にて第１ロック部材６を押圧して第１のロックを解除するように構成した。【選択図】図５
2020083331.tif 000002
【特許請求の範囲】
【請求項１】
ボトル本体（１）を施蓋するキャップ部材（３）を閉状態に保持して第１のロックを行う第１ロック部材（６）と、上記第１ロック部材（６）にて閉状態に保持された上記キャップ部材（３）を起立状姿勢で係止して第２のロックを行う門型の第２ロック部材（７）と、を備えた携帯用飲料ボトルに於て、
上記第２ロック部材（７）を上記起立状姿勢から下方へ揺動して第２のロックを解除すると共に、下方へ揺動して垂下状姿勢となった上記第２ロック部材（７）にて上記第１ロック部材（６）を押圧して第１のロックを解除するように構成したことを特徴とする携帯用飲料ボトル。
【請求項２】
有底筒状のボトル本体（１）と、該ボトル本体（１）に施蓋状に取着されると共に飲料吐出用の口部（21）を有する蓋部材（２）と、上記蓋部材（２）に揺動自在に枢着されると共に上記口部（21）を施蓋するためのキャップ部材（３）と、上記蓋部材（２）にシーソー状に揺動自在に枢着され上記キャップ部材（３）を閉状態に保持して第１のロックを行う第１係止部（61）を上部に有すると共に下部に押圧操作される被押圧部（62）を有する第１ロック部材（６）と、上記蓋部材（２）に起立状姿勢と垂下状姿勢とに揺動切換自在に枢着され上記第１ロック部材（６）にて閉状態に保持された上記キャップ部材（３）を起立状姿勢で係止して第２のロックを行う門型の第２ロック部材（７）と、を備えた携帯用飲料ボトルであって、
上記第２ロック部材（７）は、上記第１ロック部材（６）の両側に配設される一対の柱部（72）（72）の先端部を連結する連結部（71）に、上記起立状姿勢で閉状態の上記キャップ部材（３）に係止する第２係止部（71ａ）を有すると共に、上記垂下状姿勢で上記第１ロック部材（６）の上記被押圧部（62）を押圧する押圧部（71ｂ）を有し、
上記第２ロック部材（７）を上記起立状姿勢から下方へ揺動して第２のロックを解除すると共に、下方へ揺動して垂下状姿勢となった上記第２ロック部材（７）の上記押圧部（71ｂ）にて上記第１ロック部材（６）の上記被押圧部（62）を押圧して第１のロックを解除するように構成したことを特徴とする携帯用飲料ボトル。
【請求項３】
ゴム製の滑り止め用のリング部材（５）を上記蓋部材（２）に外嵌状に取着し、
上記第１ロック部材（６）の下部を前方へ常時弾発付勢するための戻し用弾発付勢部（56）を、上記リング部材（５）の一部をもって構成した請求項２記載の携帯用飲料ボトル。
【請求項４】
上記第１ロック部材（６）は、上下中間部が水平状の第１枢着軸心（Ｌ６）廻りに揺動自在に枢着され、
上記第２ロック部材（７）は、水平状の第２枢着軸心（Ｌ７）廻りに揺動自在に枢着され、
上記第２枢着軸心（Ｌ７）を、上記第１枢着軸心（Ｌ６）よりも上位置に配設した請求項１，２又は３記載の携帯用飲料ボトル。
【発明の詳細な説明】
【技術分野】
【０００１】
本発明は、携帯用飲料ボトルに関する。
【背景技術】
【０００２】
従来の携帯用飲料ボトルは、ボトル本体の開口部に取着する蓋部材と、蓋部材に揺動自在に枢着されると共に蓋部材の口部を施蓋するためのキャップ部材と、を備え、さらに、蓋部材に枢着されキャップ部材を閉状態に保持する第１のロックを行う第１ロック部材と、第１ロック部材にて閉状態に保持されたキャップ部材を起立状姿勢で係止して第２のロックを行う門型の第２ロック部材と、を備えた携帯用飲料ボトルが公知である（例えば、特許文献１参照）。
【先行技術文献】
【特許文献】
【０００３】
【特許文献１】特開２０１０−２３８５４号公報
【発明の概要】
【発明が解決しようとする課題】
【０００４】
しかし、第１ロック部材と第２ロック部材とで二重ロックされているキャップ部材を開状態にする際に、先ず、第２ロック部材を、起立状姿勢から垂下状姿勢に揺動操作して、第２のロック（第２ロック部材とキャップ部材との係合）を解除し、次に、第１ロック部材の下部を、使用者の指で押圧して、第１のロック（第１ロック部材とキャップ部材との係合）を解除するため、操作が煩わしいといった問題があった。
【０００５】
そこで、本発明は、第１のロックと第２のロックを行える二重ロック構造でありながら、キャップ部材を容易に素早く開くことが可能な使い勝手の良い携帯用飲料ボトルの提供を目的とする。
【課題を解決するための手段】
【０００６】
本発明の携帯用飲料ボトルは、ボトル本体を施蓋するキャップ部材を閉状態に保持して第１のロックを行う第１ロック部材と、上記第１ロック部材にて閉状態に保持された上記キャップ部材を起立状姿勢で係止して第２のロックを行う門型の第２ロック部材と、を備えた携帯用飲料ボトルに於て、上記第２ロック部材を上記起立状姿勢から下方へ揺動して第２のロックを解除すると共に、下方へ揺動して垂下状姿勢となった上記第２ロック部材にて上記第１ロック部材を押圧して第１のロックを解除するように構成したものである。
【０００７】
また、有底筒状のボトル本体と、該ボトル本体に施蓋状に取着されると共に飲料吐出用の口部を有する蓋部材と、上記蓋部材に揺動自在に枢着されると共に上記口部を施蓋するためのキャップ部材と、上記蓋部材にシーソー状に揺動自在に枢着され上記キャップ部材を閉状態に保持して第１のロックを行う第１係止部を上部に有すると共に下部に押圧操作される被押圧部を有する第１ロック部材と、上記蓋部材に起立状姿勢と垂下状姿勢とに揺動切換自在に枢着され上記第１ロック部材にて閉状態に保持された上記キャップ部材を起立状姿勢で係止して第２のロックを行う門型の第２ロック部材と、を備えた携帯用飲料ボトルであって、上記第２ロック部材は、上記第１ロック部材の両側に配設される一対の柱部の先端部を連結する連結部に、上記起立状姿勢で閉状態の上記キャップ部材に係止する第２係止部を有すると共に、上記垂下状姿勢で上記第１ロック部材の上記被押圧部を押圧する押圧部を有し、上記第２ロック部材を上記起立状姿勢から下方へ揺動して第２のロックを解除すると共に、下方へ揺動して垂下状姿勢となった上記第２ロック部材の上記押圧部にて上記第１ロック部材の上記被押圧部を押圧して第１のロックを解除するように構成したものである。
【０００８】
また、ゴム製の滑り止め用のリング部材を上記蓋部材に外嵌状に取着し、上記第１ロック部材の下部を前方へ常時弾発付勢するための戻し用弾発付勢部を、上記リング部材の一部をもって構成したものである。
また、上記第１ロック部材は、上下中間部が水平状の第１枢着軸心廻りに揺動自在に枢着され、上記第２ロック部材は、水平状の第２枢着軸心廻りに揺動自在に枢着され、上記第２枢着軸心を、上記第１枢着軸心よりも上位置に配設したものである。
【発明の効果】
【０００９】
本発明によれば、第２ロック部材とキャップ部材との係合を解除する操作から連続的に（流れるように）、第１ロック部材とキャップ部材との係合を解除でき、キャップ部材を素早く開くことができる。第１のロックと第２のロックを行える２重ロック構造でありながら直観的に、かつ、容易に開操作できて、使い勝手が良い。
【図面の簡単な説明】
【００１０】
【図１】本発明の実施の一形態を示す斜視図である。
【図２】要部正面図である。
【図３】要部断面側面図である。
【図４】第２ロック解除状態の要部断面側面図である
【図５】第１ロック解除状態の要部断面側面図である。
【図６】蓋部材の一例を示す全体図であって、（Ａ）は正面図であり、（Ｂ）は側面図であり、（Ｃ）は斜視図である。
【図７】リング部材の全体図であって、（Ａ）は平面図であり、（Ｂ）正面図であり、（Ｃ）は斜視図である。
【図８】実施例と比較例の比較説明図である。
【図９】実施例と他の比較例の比較説明図である。
【発明を実施するための形態】
【００１１】
以下、図示の実施形態に基づき本発明を詳説する。
本発明に係る携帯用飲料ボトルは、図１乃至図３に示すように、有底筒状のボトル本体１と、ボトル本体１の開口部に取着される蓋部材２を介してボトル本体１を施蓋するキャップ部材３と、キャップ部材３を閉状態に保持して第１のロックを行う第１ロック部材６と、第１ロック部材６にて閉状態に保持されたキャップ部材３を起立状姿勢で係止して第２のロックを行う門型の第２ロック部材７と、を備えた二重ロック構造の携帯用飲料ボトルである。
【００１２】
ボトル本体１は、金属製であって、二重筒状の断熱構造を有し、上方開口状の口部と、口部の上部外周面に形成された雄ネジ部と、を有している。
蓋部材２は、樹脂製であって、ボトル本体１に施蓋状に取着されると共に、飲料突出用の口部21を有している。
【００１３】
キャップ部材３は、外周壁部35と天井壁部34を有する有蓋円筒状の樹脂製のキャップ本体30と、キャップ本体30の天井壁部34に取着されキャップ閉状態で蓋部材２の口部21を密封状に施蓋する傘状のゴム製のシール部材39と、を有している。
【００１４】
キャップ本体30は、外周壁部35の後部に蓋部材２に枢着するキャップ枢着部33を後方突出状に有し、水平状軸心Ｌ３廻りに開閉揺動自在に蓋部材２に枢着している。
キャップ本体30は、外周壁部35の前部に、第１ロック部材６が係脱可能（自在）な第１キャップ係止部36と、第１キャップ係止部36よりも上位置で起立状姿勢の第２ロック部材７が係合可能な第２キャップ係止部37と、を有している。
また、キャップ本体30は、蓋部材２とキャップ本体30の間に介装した図示省略の弾発付勢部材によって、開揺動方向へ常時弾発付勢されている。
【００１５】
第１ロック部材６は、樹脂製（樹脂成型品）であって、上下中間部が蓋部材２に枢着され、水平状の第１枢着軸心Ｌ６廻りにシーソー状に前後揺動自在である。
第１ロック部材６は、上部（第１枢着軸心Ｌ6 よりも上位置）に、第１キャップ係止部36に係止してキャップ部材３を閉状態に保持するための爪型（フック型）の第１係止部61を有している。さらに、第１ロック部材６は、下部（第１枢着軸心Ｌ６よりも下位置）に押圧操作される被押圧部62を前方突出状に有している。
【００１６】
そして、第１ロック部材６の下部と、蓋部材２の周壁部23の間に介装したゴム製の戻し用弾発付勢部56によって、第１ロック部材６の被押圧部62は、前方へ常時弾発付勢されている。
第１ロック部材６は、被押圧部62が後方へ押圧操作された後、押圧操作力が解除されると、戻し用弾発付勢部56からの弾発付勢力（弾性的復元力）を受けて、押圧操作される前の所定の基準姿勢（所定の基準位置）に戻るように構成している。
【００１７】
第２ロック部材７は、門型の樹脂製（樹脂成形品）であって、第１ロック部材６の左右両側に配設された左右一対の柱部72，72と、一対の柱部72，72の先端部を左右方向に連結する連結部71と、を有している。
第２ロック部材７は、柱部72の基端部が蓋部材２に枢着され、水平状の第２枢着軸心Ｌ７廻りに揺動自在であって、連結部71が第２枢着軸心Ｌ７よりも上位置となる起立状姿勢と、連結部71が第２枢着軸心Ｌ７よりも下位置となる垂下状姿勢とに揺動切換自在である。
【００１８】
第２ロック部材７の連結部71は、第１ロック部材６にて閉状態に保持されたキャップ部材３の第２キャップ係止部37に起立状姿勢で係止する第２係止部71ａを有している。
第２係止部71ａは、連結部71の一部をもって形成され、起立状姿勢で下方を向く小凸状に設けている。小凸状の第２係止部71ａは、第２キャップ係止部37に凹設した小窪部に係脱自在である。
或いは、第２係止部71ａを小窪状とし、第２キャップ係止部37に小凸部を設けて、係脱自在とするも良い。なお、第２係止部71ａは、小凸状や小窪状に限らず、第２キャップ係止部37に係止可能であれば平坦状とするも良く、形状は自由である。
【００１９】
さらに、第２ロック部材７は、キャップ部材３を閉状態に保持している第１ロック部材６の被押圧部62を、垂下状姿勢で押圧する押圧部71ｂを有している。
押圧部71ｂは、連結部71の一部をもって形成され、垂下状姿勢で後方突出状に形成されている。なお、押圧部71ｂは第１ロック部材６の被押圧部62を押圧可能な形状であれば、形状は自由である。また、連結部71は、第２ロック部材７を揺動操作する際に、使用者の指を当接させて操作する揺動操作部（指操作部）でもある。
【００２０】
そして、図１乃至図３に示すように、第１ロック部材６の第１係止部61が、閉状態のキャップ部材３の第１キャップ係止部36に係止して閉状態に保持する第１ロックを行い、かつ、起立状姿勢の第２ロック部材７の連結部71の第２係止部71ａが、第１ロック部材６にて閉状態に保持されたキャップ部材３の第２キャップ係止部37に係止して第２ロックを行っている二重ロック状態とできる。
【００２１】
さらに、図４に示すように、第２ロック部材７を起立状姿勢から前下方揺動させると、連結部71の第２係止部71ａが第２キャップ係止部37から離脱して、先ず、第２のロックが解除される。そして、第２ロック部材７の連結部71を、さらに、前下方揺動させ、水平状姿勢を介して、垂下状姿勢にまで揺動操作すると、図５に示すように、第２ロック部材７の連結部71の押圧部71ｂが、第１ロック部材６の被押圧部62を後方へ押圧し、第１ロック部材６の第１係止部61が前方へ揺動して第１キャップ係止部36から離脱して、第１ロックが解除され、キャップ部材３が図示省略の弾発付勢部材の弾発力にて開揺動を開始して、キャップ部材３が後方へ揺動したキャップ開状態（二重ロック解除状態）となる。
【００２２】
即ち、使用者は、第２ロック部材７を、起立状姿勢から水平状姿勢を介して垂下状姿勢にする下方への揺動操作にて、第１のロックと第２のロックを解除することが可能である。
つまり、１つの部材を用いて、ワンモーション行うだけで、２つのロックを解除できる。
【００２３】
また、第２枢着軸心Ｌ７を、第１枢着軸心Ｌ６よりも上位置に配設することで、被押圧部62を強い力で押圧しないと後方へ揺動しないように（第１のロックが解除されないように）構成している。
【００２４】
例えば、図８に於て実線で示す第２ロック部材７を実施例と呼び、二点鎖線で示す第２ロック部材７´を比較例と呼ぶ。実施例の第２ロック部材７は第２枢着軸心Ｌ７で枢着している。比較例の第２ロック部材７´は第１枢着軸心Ｌ６で枢着している（第１ロック部材６と同軸心状に設けている）。
実施例の第２ロック部材７の押圧部71ｂに比べて、比較例の第２ロック部材７´の押圧部71ｂ´は、垂下状姿勢で、下位置に配設されることになる。
つまり、実施例は比較例と比べて、第１ロック部材６の被押圧部62を第１枢着軸心Ｌ６に接近させて配設させることができ、被押圧部62を強い力で押圧しないと後方へ揺動しない（第１のロックが解除されない）構成とすることができる。
【００２５】
また、第２枢着軸心Ｌ７を、第１枢着軸心Ｌ６よりも上位置に配設することで、第２ロック部材７の連結部（揺動操作部）71を、第２ロック部材７を揺動させる際に大きな操作力を付与しやすい配置に構成している。
【００２６】
例えば、図９に於て実線で示す第２ロック部材７を実施例と呼び、二点鎖線で示す第２ロック部材７″を他の比較例と呼ぶ。実施例の第２ロック部材７は第２枢着軸心Ｌ７で枢着している。他の比較例の第２ロック部材７″は第１枢着軸心Ｌ６で枢着している（第１ロック部材６と同軸心状に設けている）。そして、実施例の押圧部71ｂ及び他の比較例の押圧部71ｂ″は、垂下状姿勢で、第１ロック部材６の被押圧部62を、押圧するように設けている。
【００２７】
実施例の第２ロック部材７の連結部71は、他の比較例の第２ロック部材７″の連結部71″に比べて、上位置に配設されることになる。
つまり、実施例の第２ロック部材７の連結部71の先端から自らの枢着点（第２枢着軸心Ｌ７）までの実施揺動半径Ｒと呼び、他の比較例の第２ロック部材７″の連結部71″の先端から自らの枢着点（第１枢着軸心Ｌ６）までの距離を比較揺動半径Ｒ″と呼ぶと、実施揺動半径Ｒは、比較揺動半径Ｒ″よりも大きくなる。
即ち、実施例は他の比較例に比べて、指等で揺動させやすく、大周りして被押圧部62に接近させることができ、大きな操作力を付与しやすい構成としている。
【００２８】
さらに、図１乃至図５に示すように、蓋部材２に、シリコーンゴム等のゴム製の滑り止め用のリング部材５を、外嵌状に取着している。
【００２９】
図６に示すように、蓋部材２は、樹脂製（樹脂成形品）であって、口部21を有する煙突状部が突設された上壁部22と、ボトル本体１の雄ネジ部に螺合する雌ネジ部が内周面に形成された周壁部23と、キャップ部材３が枢着する後方突出状の枢着部24を有している。
さらに、周壁部23は、ラジアル内方へ凹設された外周溝23ｄを有している。
【００３０】
そして、図７に示すように、滑り止め用のリング部材５は、蓋部材２の外周溝23ｄに弾性的復元力によって外嵌状に取着する環状部（ゴムバンド部）51と、環状部51の前側の外周面から前方突出状に設けた戻し用弾発付勢部56と、を有している。つまり、リング部材５の一部（前部）をもって戻し用弾発付勢部56を構成している。
【００３１】
さらに、リング部材５は、図１乃至図５に示すように、組立状態で第１ロック部材６の下部が上方から差込み状に配設され被押圧部62の前面を露出させる前方開口状の窓部52ａを前壁部52ｅに有する上方開口箱形状の保護カバー部52を有している。
【００３２】
第１ロック部材６は、キャップ部材３と係合している起立状姿勢（基準姿勢）において、被押圧部62が保護カバー部52の前壁部52ｅよりも前方へ突出しないように設けている。
即ち、被押圧部62の上下左右は、保護カバー部52の前壁部52ｅ（の窓枠部）に包囲され、人の指や物等によって押圧されにくい。
【００３３】
このように、リング部材５は、環状部51と、戻し用弾発付勢部56と、保護カバー部52と、を一体に有する（設けた）、ゴム製の一体成形品としているので、（別体に設けた場合と比べて）、部品点数の削減や小さな部品の紛失を防止して、組立作業が容易に行えると共に、部品管理を容易にしている。また、リング部材５を取外すことで、第１ロック部材６と蓋部材２の間を容易に洗浄（水洗い）でき衛生的である。
【００３４】
また、第１ロック部材６は、戻し用弾発付勢部56の弾性的復元力（弾発付勢力）を受けて基準位置になると、その基準位置を越えて揺動しないように蓋部材２又はリング部材５に当接して、揺動が阻止される当り部（図示省略）を有している。
言い換えると、蓋部材２又はリング部材５は、第１ロック部材６が戻し用弾発付勢部56からの弾発付勢力を受けて基準位置を越えて揺動しないように阻止するストッパ部（図示省略）を有している。
【００３５】
また、図１乃至図５に示すように、蓋部材２とキャップ部材３との枢着部に、樹脂製の門型形状の持ち手部材４を、水平状軸心Ｌ３廻りに揺動自在に枢着している。つまり、蓋部材２の枢着部24には、キャップ部材３と持ち手部材４とが同軸心状に枢着している。
また、蓋部材２とボトル本体１の間をシール（水密）するゴム製の環状シール部材を備えている。
【００３６】
なお、本発明の説明を容易にするために、水平状軸心Ｌ３とボトル軸心Ｌａ（図３参照）の両者に直交する方向を前後方向と呼び、キャップ部材３と蓋部材２との枢着部側を後方と呼んでいる。また、水平状軸心Ｌ３に沿った方向を左右方向と呼ぶ。したがって、方向を基に、使用状態の姿勢を限定するものではない。水平状軸心Ｌ３と第１枢着軸心Ｌ６と第２枢着軸心Ｌ７は、相互に左右方向に平行状に配設される。
【００３７】
なお、本発明は、設計変更可能であって、蓋部材２とボトル本体１の取着は、ネジ構造に限らず、係合構造等自由である。リング部材５の環状部51の外周面は、ブランド名やメーカー名や商品面を凹凸成形や塗装等にて表示させる表示部とするも良い。
【００３８】
以上のように、本発明の携帯用飲料ボトルは、ボトル本体１を施蓋するキャップ部材３を閉状態に保持して第１のロックを行う第１ロック部材６と、上記第１ロック部材６にて閉状態に保持された上記キャップ部材３を起立状姿勢で係止して第２のロックを行う門型の第２ロック部材７と、を備えた携帯用飲料ボトルに於て、上記第２ロック部材７を上記起立状姿勢から下方へ揺動して第２のロックを解除すると共に、下方へ揺動して垂下状姿勢となった上記第２ロック部材７にて上記第１ロック部材６を押圧して第１のロックを解除するように構成したので、第２ロック部材７とキャップ部材３との係合を解除する操作から連続的に（流れるように）、第１ロック部材６とキャップ部材３との係合を解除でき、キャップ部材３を素早く開くことができる。二重ロック構造でありながらも、直観的に、かつ、容易に開操作できて、使い勝手が良い。
【００３９】
また、有底筒状のボトル本体１と、該ボトル本体１に施蓋状に取着されると共に飲料吐出用の口部21を有する蓋部材２と、上記蓋部材２に揺動自在に枢着されると共に上記口部21を施蓋するためのキャップ部材３と、上記蓋部材２にシーソー状に揺動自在に枢着され上記キャップ部材３を閉状態に保持して第１のロックを行う第１係止部61を上部に有すると共に下部に押圧操作される被押圧部62を有する第１ロック部材６と、上記蓋部材２に起立状姿勢と垂下状姿勢とに揺動切換自在に枢着され上記第１ロック部材６にて閉状態に保持された上記キャップ部材３を起立状姿勢で係止して第２のロックを行う門型の第２ロック部材７と、を備えた携帯用飲料ボトルであって、上記第２ロック部材７は、上記第１ロック部材６の両側に配設される一対の柱部72，72の先端部を連結する連結部71に、上記起立状姿勢で閉状態の上記キャップ部材３に係止する第２係止部71ａを有すると共に、上記垂下状姿勢で上記第１ロック部材６の上記被押圧部62を押圧する押圧部71ｂを有し、上記第２ロック部材７を上記起立状姿勢から下方へ揺動して第２のロックを解除すると共に、下方へ揺動して垂下状姿勢となった上記第２ロック部材７の上記押圧部71ｂにて上記第１ロック部材６の上記被押圧部62を押圧して第１のロックを解除するように構成したので、第２ロック部材７とキャップ部材３との係合を解除する操作から連続的に（ワンモーションで）、第１ロック部材６とキャップ部材３との係合を解除でき、キャップ部材３を素早く開くことができる。二重ロック構造でありながらも、直観的に、かつ、容易に開操作できて、使い勝手が良い。
【００４０】
また、ゴム製の滑り止め用のリング部材５を上記蓋部材２に外嵌状に取着し、上記第１ロック部材６の下部を前方へ常時弾発付勢するための戻し用弾発付勢部56を、上記リング部材５の一部をもって構成したので、小さなバネ部材を用いる必要がなく、組立や、洗浄時の取外しを容易に行うことができる。部品点数の削減や小さな部品の紛失を防止して、組立作業が容易に行えると共に、部品管理を容易にしている。また、分解洗浄（水洗い）が容易にでき、衛生的である。
【００４１】
また、上記第１ロック部材６は、上下中間部が水平状の第１枢着軸心Ｌ６廻りに揺動自在に枢着され、上記第２ロック部材７は、水平状の第２枢着軸心Ｌ７廻りに揺動自在に枢着され、上記第２枢着軸心Ｌ７を、上記第１枢着軸心Ｌ６よりも上位置に配設したので、被押圧部62を強い力で押圧しないと後方へ揺動しないように（第１のロックが解除されないように）構成でき、かつ、第２ロック部材７を揺動させる際に大きな操作力を付与しやすい構成とできる。即ち、意図せずに、第２ロック部材７による第２のロックが解除されている状態であっても、第１ロック部材６の被押圧部62に、不意に物や指が触れただけでは、第１のロックは解除されず、安全に持ち運びできる。
【符号の説明】
【００４２】
１  ボトル本体
２  蓋部材
３  キャップ部材
５  リング部材
６  第１ロック部材
７  第２ロック部材
21  口部
56  戻し用弾発付勢部
61  第１係止部
62  被押圧部
71  連結部
71ａ  第２係止部
71ｂ  押圧部
72  柱部
Ｌ６  第１枢着軸心
Ｌ７  第２枢着軸心
【図１】
2020083331.tif 000003
【図２】
2020083331.tif 000004
【図３】
2020083331.tif 000005
【図４】
2020083331.tif 000006
【図５】
2020083331.tif 000007
【図６】
2020083331.tif 000008
【図７】
2020083331.tif 000009
【図８】
2020083331.tif 000010
【図９】
2020083331.tif 000011